(57)【要約】【課題】複数個を順次積重可能にすることで必要な厚さの電気配線ボックス用継枠を簡単かつ安全に得ることができるとともに、電気配線ボックスの取り付け作業能率の向上および生産性の向上、さらにはコスト低減を図れる電気配線ボックス用継枠を提供することを目的とする。【解決手段】電気配線ボックスと塗代カバーとの間に厚み方向に積重状態で介在される電気配線ボックス用継枠であって、プラスチック製の周枠の隣接する枠部間の内周側に連結部を設けるとともに、この連結部の片面には係合孔を、また他面にはこの係合孔と噛み合う係合突起を設け、各電気配線ボックス用継枠を係合孔に係合突起をはめ込むことにより互い積重ね可能としたことを特徴とする電気配線ボックス用継枠。【選択図】　　　　　図１
2004120860.tif 000002
【特許請求の範囲】
【請求項１】
電気配線ボックスと塗代カバーとの間に厚み方向に積重状態で介在される電気配線ボックス用継枠であって、プラスチック製の周枠の隣接する枠部間の内周側に連結部を設けるとともに、この連結部の片面には係合孔を、また他面にはこの係合孔と噛み合う係合突起を設け、各電気配線ボックス用継枠を係合孔に係合突起をはめ込むことにより互いに積重ね可能としたことを特徴とする電気配線ボックス用継枠。
【請求項２】
連結部が周枠の一方の端面から突き出すよう形成され、また連結部の片面に設けた係合孔が、連結部の厚さの範囲内において形成されている請求項１記載の電気配線ボックス用継枠。
【請求項３】
プラスチック製の周枠の隣接する枠部間の内周側に設けた連結部が、さらに隣接する枠部まで延長して帯状に設けられている請求項１または２記載の電気配線ボックス用継枠。
【請求項４】
係合突起とこれをはめ込む係合孔とが、その切断端面を一方は円形、他方は多角形として互いに接触面積の少ない係合状態としてなる請求項１まないし３のいずれかに記載の電気配線ボックス用継枠。
【発明の詳細な説明】
【０００１】
【発明の属する技術分野】この発明は、建屋の床内、壁内に設置される電気配線ボックスと塗代カバーとの間に介在される電気配線ボックス用継枠に関するものである。
【０００２】
【従来の技術】たとえば、建屋の床内、壁内にスイッチやコンセントなどを埋め込み状に取り付けるには、建屋の床内、壁内に直交状に通されたバーに電気配線ボックス（アウトレットボックス）を取り付ける。電気配線ボックスには塗代カバーを継枠を介してねじで締め付け、塗代カバーにスイッチあるいはコンセントの支持枠を化粧ボードの開口を介してねじで締め付けている。その際、間仕切り壁の厚みはまちまちであるため、電気配線ボックスと塗代カバーとの間の間隔は一定していない。そのため、予めその間隔に合った厚みを持つ多種類の継枠を用意しておく必要がある。
【０００３】かかる不便を解消すべく、厚さ別に継枠を用意する必要がないよう、実公昭４５−７７９９号公報や実公昭４５−１７９５９号公報、実開昭６２−１２２４２０号公報、実開平７−３９２２４号公報等に見られるように所定幅の切目を設けたプラスチック製継枠が種々提案されている。
【０００４】しかしながら、上記プラスチック製継枠では、施工現場でナイフでいちいち所定の切目で切断しなければならず、この作業は甚だ煩わしく、電気配線ボックスの取り付け作業能率の低下の原因になっていた。ナイフで手を切るおそれもあった。
【０００５】
【発明が解決しようとする課題】そのため、特開平１１−３０８７３０号公報に見られるような、所定幅を有し、積重ねて連結することにより厚み調整自在なプラスチック製継枠も提案されている。
【０００６】しかしながら、上記特開平１１−３０８７３０号公報記載の発明においては、周枠の枠部に側面から係合孔を形成したり、この係合孔に係合させるための先端を外向きに折り曲げたフック部を枠部から突出するように形成することが必要である。このような係合孔とフック部との成形は、非常に複雑で高度な金型を要求され、熟練と高コストとを伴なうという欠点があった。
【０００７】この発明は従来例の上記欠点を解消しようとするものであり、複数個を順次積重可能にすることで必要な厚さの電気配線ボックス用継枠を簡単かつ安全に得ることができるとともに、電気配線ボックスの取り付け作業能率の向上および生産性の向上、さらにはコスト低減を図れる電気配線ボックス用継枠を提供することを目的とする。
【０００８】
【課題を解決するための手段】すなわちこの発明の電気配線ボックス用継枠は、電気配線ボックスと塗代カバーとの間に厚み方向に積重状態で介在される電気配線ボックス用継枠であって、プラスチック製の周枠の隣接する枠部間の内周側に連結部を設けるとともに、この連結部の片面には係合孔を、また他面にはこの係合孔と噛み合う係合突起を設け、各電気配線ボックス用継枠を係合孔に係合突起をはめ込むことにより互い積重ね可能としたことを特徴とするものである。
【０００９】この発明の電気配線ボックス用継枠は、上記連結部が周枠の一方の端面から突き出すよう形成され、また連結部の片面に設けた係合孔が、連結部の厚さの範囲内において形成されていることをも特徴とするものである。
【００１０】この発明の電気配線ボックス用継枠は、上記プラスチック製の周枠の隣接する枠部間の内周側に設けた連結部が、さらに隣接する枠部まで延長して帯状に設けられていることをも特徴とするものである。
【００１１】この発明の電気配線ボックス用継枠は、係合突起とこれをはめ込む係合孔とが、その切断端面を一方は円形、他方は多角形として互いに接触面積の少ない係合状態としたことをも特徴とするものである。
【００１２】この発明によれば、複数個を順次積重可能にすることで必要な厚さの電気配線ボックス用継枠を簡単かつ安全に得ることができるとともに、電気配線ボックスの取り付け作業能率の向上および生産性の向上、さらには大幅なコスト低減の可能な電気配線ボックス用継枠を提供することができるようになった。
【００１３】
【発明の実施の形態】以下この発明に係る電気配線ボックス用継枠の実施の形態を図面に基づき詳細に説明する。
図１はこの発明の電気配線ボックス用継枠の１実施例を示す平面図、図２はその底面図、図３はその側面図、図４はその断面図、図５は積重ねる過程を説明する拡大断面図、図６はこの発明の電気配線ボックス用継枠の他の実施例を示す平面図、図７はその側面図、図８はこの発明の電気配線ボックス用継枠のさらに別の実施例を示す平面図、図９はその切欠き断面図である。
【００１３】図１ないし図５に示すように、この発明の電気配線ボックス用継枠１はプラスチック成形品であって、電気配線ボックス２の形状に対応すべく四角形状に形成された周枠１１の隣接する枠部１１ａ，１１ｂの内周側に、周枠１１の平面に沿って板状の連結部１２を設けるとともに、この連結部１２の片面には係合孔１３を、また他面にはこの係合孔１３と噛み合う係合突起１４を設けてある。
【００１４】上記係合孔１３と係合突起１４とは連結部１２の表裏において、同じ位置に形成されている。また係合孔１３は連結部１２の厚さの範囲内において形成されており、他方、係合突起１４は係合孔１３と対応する位置にあるため、その強度に支障を来たさないように、連結部１２に一定の肉厚を残して形成されている。そして、各電気配線ボックス用継枠１は係合孔１３に係合突起１４をはめ込むことにより互い積重ね可能となっている。
【００１５】また上記電気配線ボックス用継枠１においては、上記連結部１２が、周枠１１の一方の端面から突き出すよう形成されている。したがって、各電気配線ボックス用継枠１の積重ねを、係合孔１３に係合突起１４をはめ込むだけでなく、連結部１２の外側面を周枠１１の内面に係合させながら行なうことができ、積重ねを簡単かつ正確に行なうことができるのである。なお、上記係合突起１４とこれをはめ込む係合孔１３は、その切断端面を一方は円形、他方は多角形として互いに接触面積の少ない係合状態とすることが望ましい。
【００１６】上記係合孔１３と係合突起１４とを備えた連結部１２は、一方の対角線上の対向する角部に一対形成され、他方の対角線上の対向する角部にはねじ挿通板１５が一対形成され、ねじ挿通板１５にはねじ挿通孔１６が形成されている。他方、連結部１２の適所にも係合孔１３・係合突起１４の両側にねじ挿通孔１７，１８が形成されている。
【００１７】上記構成の電気配線ボックス用継枠１は所定厚み（例えば、５ｍｍ）を有しており、電気配線ボックス２と塗代カバー間のすき間を埋め合わすにあたって、電気配線ボックス用継枠１がこれ１個分の厚みで足りない場合は２個以上を次の要領で互いに積重一体化して使用する。すなわち、図５に示すごとく１の電気配線ボックス用継枠１の係合孔１３に次の電気配線ボックス用継枠１の係合突起１４を押し込みながら、同一形状の電気配線ボックス用継枠１を積重ねる。これと同時に、連結部１２のねじ挿通孔１７，１８とねじ挿通板１５のねじ挿通孔１６とが積重ねる電気配線ボックス用継枠１間においても位置合わせされ、各ねじ挿通孔１６〜１８はそれぞれ周枠１１の厚み方向の一直線上に揃えるように並べられる。
【００１８】このようにして所定厚み分だけ積重一体化された電気配線ボックス用継枠１群は、電気配線ボックス２に塗代カバーをねじで締め付けるときにその間に介在させて共締めされる。その際、電気配線ボックス２の開口端にも予め電気配線ボックス用継枠１の係合突起１４と同様の突起を設けておけば、電気配線ボックス用継枠１群のうち最先端側の電気配線ボックス用継枠１の係合孔１３はその突起に係合させることによって、電気配線ボックス２に対して電気配線ボックス用継枠１群を仮止めすることができる。
【００１９】この仮止め後、塗代カバーにねじを通し、塗代カバーを電気配線ボックス用継枠１群のうち最後端側の電気配線ボックス用継枠１に重ねて、ねじの先端を電気配線ボックス用継枠１内のねじ挿通孔１６〜１８に通して電気配線ボックス２内の雌ねじボス１９にねじ込んで締め付ける。このねじの締め付けにより塗代カバーが電気配線ボックス２に対し電気配線ボックス用継枠１群を介して本締めされる。
【００２０】互いに積重された電気配線ボックス用継枠１どうしは係合孔１３と係合突起１４との係合によって積重状態が保持され、また周枠１１の端面から突き出るように設けた連結部１２を積重ねる電気配線ボックス用継枠１の周枠１１内周にはめ込むことにより、連結する電気配線ボックス用継枠１間の位置ずれ規制がより確実なものとなる。したがって、上記のように電気配線ボックス２への電気配線ボックス用継枠１群及び塗代カバーの取り付け時に、不用意に電気配線ボックス用継枠１が個々に分離したり、位置ずれや型崩れなどの不具合を起こすことがなく、これらの取り付け作業がきわめてスムーズに行える。
【００２１】図６ないし図７に示すこの発明の電気配線ボックス用継枠２１は同様にプラスチック成形品からなり、電気配線ボックス２２の形状に対応すべく四角形状に形成された周枠３１の隣接する枠部３１ａ，３１ｂの内周側に、周枠３１の平面に沿って板状の連結部３２を設けるとともに、この連結部３２の片面には係合孔３３を、また他面にはこの係合孔３３と噛み合う係合突起３４を設けてある。
【００２２】この例においては、連結部３２がそれぞれ周枠３１の４隅に形成されており、各連結部３２にはそれぞれ係合孔３３と係合突起３４とがその表裏の同一位置に形成され、またその内側位置にねじ挿通孔３５が形成されている。もちろん、使用方法は上記実施例と同様である。
【００２３】図８ないし図９に示すこの発明の電気配線ボックス用継枠４１も同様にプラスチック成形品からなり、電気配線ボックス４２の形状に対応すべく四角形状（長方形）に形成された周枠５１の隣接する枠部５１ａ，５１ｂ，５１ｃの内周側に、周枠５１の平面に沿って帯状の連結部５２を設けるとともに、この連結部５２両端の片面には一対の係合孔５３を、また他面にはこの係合孔３３と噛み合う一対の係合突起５４を設けてある。
【００２４】この例においては、連結部５２がそれぞれ周枠３１の対向する辺に沿って帯状に形成されており、各連結部５２両側端部にはそれぞれ係合孔５３と係合突起５４とがその表裏の同一位置に形成され、また連結部４２のほぼ中央にはねじ挿通孔５５が形成されている。もちろん、使用方法は上記実施例と同様である。
【００２５】上記各実施例では、電気配線ボックス用継枠１，２１，４１の周枠１１，３１，５１は四角形状に形成してあるが、四角形状以外に、電気配線ボックス２の形状に合わせて円形、小判形などに形成することもできる。
【００２６】
【発明の効果】この発明によれば、複数個を順次積重可能にすることで必要な厚さの電気配線ボックス用継枠を簡単かつ安全に得ることができるとともに、電気配線ボックスの取り付け作業能率の向上および生産性の向上、さらには大幅なコスト低減の可能な電気配線ボックス用継枠を提供することができるようになった。
【００２７】しかもこの発明によれば、上記係合突起とこれをはめ込む係合孔は、その切断端面を一方は円形、他方は多角形として互いに接触面積の少ない係合状態としたので、簡単に脱着させることが可能な電気配線ボックス用継枠を提供することができるようになった。
【図面の簡単な説明】
【図１】この発明の電気配線ボックス用継枠の１実施例を示す平面図である。
【図２】その底面図である。
【図３】その側面図である。
【図４】その断面図である。
【図５】積重ねる過程を説明する拡大断面図である。
【図６】この発明の電気配線ボックス用継枠の他の実施例を示す平面図である。
【図７】その側面図である。
【図８】この発明の電気配線ボックス用継枠のさらに別の実施例を示す平面図である。
【図９】その切欠き断面図である。
【符号の説明】
１　電気配線ボックス用継枠
２　電気配線ボックス
１１　周枠
１１ａ，１１ｂ　枠部
１２　連結部
１３　係合孔
１４　係合突起
１５　ねじ挿通板
１６　ねじ挿通孔
１７・１８　ねじ挿通孔
１９　雌ねじボス
２１　電気配線ボックス用継枠
３１　周枠
３１ａ，３１ｂ　枠部
３２　連結部
３３　係合孔
３４　係合突起
３５　ねじ挿通孔
４１　電気配線ボックス用継枠
５１　周枠
５１ａ，５１ｂ，５１ｃ　枠部
５２　連結部
５３　係合孔
５４　係合突起
５５　ねじ挿通孔
【図１】
2004120860.tif 000003
【図２】
2004120860.tif 000004
【図３】
2004120860.tif 000005
【図４】
2004120860.tif 000006
【図５】
2004120860.tif 000007
【図６】
2004120860.tif 000008
【図７】
2004120860.tif 000009
【図８】
2004120860.tif 000010
【図９】
2004120860.tif 000011